【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
放電管を駆動する自励式インバータ駆動回路であって、高圧トランスの２次側のリーケージインダクタとコンデンサによって構成される共振回路における共振周波数の出力電圧を、該高圧トランスの１次側に配されたスイッチング素子に帰還させ自励発振するよう構成されてなることを特徴とする自励式インバータ駆動回路。
【請求項２】
前記高圧トランスの２次側出力を定電圧のパルス信号に変換して、入力側へフィードバックするよう構成されてなる共振ループ回路を設けたことを特徴とする請求項１記載の自励式インバータ駆動回路。
【請求項３】
前記高圧トランスの２次側出力を全波整流して疑似三角波信号を生成する三角波形成回路と、該三角波形成回路の出力およびこの三角波形成回路の出力の波高値に比例した直流基準電圧とを比較し、該比較結果に基づきインバータ動作を所定期間休止せしめる休止期間設定信号を生成する制御部とが設けられてなることを特徴とする請求項１記載の自励式インバータ駆動回路。
【請求項４】
前記制御部は、シャントレギュレータまたはコンパレータを用いて疑似三角波信号の波高値に比例した直流電圧が得られるよう構成されてなることを特徴とする請求項３記載の自励式インバータ駆動回路。
【請求項５】
前記高圧トランスは、２つの２次巻線を有し、前記共振ループ回路は、前記それぞれの２次巻線において得られる交流出力の一部をツェナーダイオードにより定電圧のパルス信号に変換するよう構成される一方、前記三角波形成回路は、前記それぞれの２次巻線において得られる交流出力の一部を、それぞれ半波整流すると共に、これらの半波整流出力を互いに合成することによって全波整流出力が得られるよう構成されてなることを特徴とする請求項４記載の自励式インバータ駆動回路。
【請求項６】
交流信号を発生するためにスイッチング動作を行なう複数のスイッチング回路と、該スイッチング回路に接続された高圧トランスとで構成され、該高圧トランスの出力端子が放電灯に接続されるように構成する自励式インバータ駆動回路において、
前記高圧トランスは２つの２次巻線を有し、これら２つの２次巻線の各高圧側端子には各々前記放電灯が接続され、
該放電灯に並列接続されたコンデンサの低圧側に配された、２次側共振周波数の出力電圧を帰還させるフィードバック部を備え、該フィードバックされた出力電圧の２次側共振周波数に基づいて前記スイッチング回路のスイッチング動作を制御するように構成されてなることを特徴とする自励式インバータ駆動回路。
【請求項７】
前記高圧トランスの２次巻線の低圧側端子には、三角波を形成する整流回路が接続されており、該整流回路により前記２次側共振周波数の三角波を形成するとともに、この三角波と前記出力電圧との信号レベルを比較し、その比較結果に基づいて、前記スイッチング回路の休止期間が設定されるように構成されていることを特徴とする請求項６記載の自励式インバータ駆動回路。
【請求項８】
前記三角波と前記出力電圧とを比較するコンパレータが、２個以下で構成されていることを特徴とする請求項６または７記載の自励式インバータ駆動回路。
【請求項９】
高圧トランスの漏れインダクタンスとコンデンサ容量とで構成された共振回路の共振周波数により放電灯を駆動する自励式インバータ駆動回路において、該高圧トランスの２次巻線の低圧側から出力された三角波と、該放電灯と並列に接続されたコンデンサの低圧側から該高圧トランスの１次側にフィードバックされた出力電圧とに基づいて、該高圧トランスの１次側に配されたスイッチング回路の休止期間を設定することを特徴とする自励式インバータ駆動回路。
【手続補正２】
【補正対象書類名】明細書
【補正対象項目名】０００８
【補正方法】変更
【補正の内容】
【０００８】
本発明の自励式インバータ駆動回路は、放電管を駆動する自励式インバータ駆動回路であって、高圧トランスの２次側のリーケージインダクタとコンデンサによって構成される共振回路における共振周波数の出力電圧を、該高圧トランスの１次側に配されたスイッチング素子に帰還させ自励発振するよう構成されてなることを特徴とするものである。
【手続補正３】
【補正対象書類名】明細書
【補正対象項目名】００１２
【補正方法】変更
【補正の内容】
【００１２】
さらに、前記高圧トランスは、２つの２次巻線を有し、前記共振ループ回路は、前記それぞれの２次巻線において得られる交流出力の一部をツェナーダイオードにより定電圧のパルス信号に変換するよう構成される一方、前記三角波形成回路は、前記それぞれの２次巻線において得られる交流出力の一部を、それぞれ半波整流すると共に、これらの半波整流出力を互いに合成することによって全波整流出力が得られるよう構成されてなるものが好適である。
さらに、本発明の自励式インバータ駆動回路は、交流信号を発生するためにスイッチング動作を行なう複数のスイッチング回路と、該スイッチング回路に接続された高圧トランスとで構成され、該高圧トランスの出力端子が放電灯に接続されるように構成する自励式インバータ駆動回路において、
前記高圧トランスは２つの２次巻線を有し、これら２つの２次巻線の各高圧側端子には各々前記放電灯が接続され、
該放電灯に並列接続されたコンデンサの低圧側に配された、２次側共振周波数の出力電圧を帰還させるフィードバック部を備え、該フィードバックされた出力電圧の２次側共振周波数に基づいて前記スイッチング回路のスイッチング動作を制御するように構成されてなることを特徴とするものである。
また、前記高圧トランスの２次巻線の低圧側端子には、三角波を形成する整流回路が接続されており、該整流回路により前記２次側共振周波数の三角波を形成するとともに、この三角波と前記出力電圧との信号レベルを比較し、その比較結果に基づいて、前記スイッチング回路の休止期間が設定されるように構成されてなるものが好適である。
さらに、前記三角波と前記出力電圧とを比較するコンパレータが、２個以下で構成されていることが好適である。
また、本発明の自励式インバータ駆動回路は、高圧トランスの漏れインダクタンスとコンデンサ容量とで構成された共振回路の共振周波数により放電灯を駆動する自励式インバータ駆動回路において、該高圧トランスの２次巻線の低圧側から出力された三角波と、該放電灯と並列に接続されたコンデンサの低圧側から該高圧トランスの１次側にフィードバックされた出力電圧とに基づいて、該高圧トランスの１次側に配されたスイッチング回路の休止期間を設定することを特徴とするものである。
【手続補正４】
【補正対象書類名】明細書
【補正対象項目名】００１４
【補正方法】変更
【補正の内容】
【００１４】
また、具体的には、高圧トランスの２次側出力をパルス信号に変換して入力側へフィードバックするような構成とすることで、自励発振によるインバータ動作を得ることができ、これにより、より効率の高い動作とすることができる。また、スイッチング動作をするＭＯＳＦＥＴを電力制御するような回路を別段に設けなくとも、発振することが可能である。これにより、コストの低減を図ることができる。
【手続補正５】
【補正対象書類名】明細書
【補正対象項目名】００４４
【補正方法】変更
【補正の内容】
【００４４】
また、コンパレータ（ＩＣ０１）７１の反転入力端子に接続された抵抗器（Ｒ１０）１０の三角波形成回路１０３側の端部とアースとの間には、抵抗器（Ｒ１０）１０側から順にダイオード（Ｄ０１）８１、抵抗器（Ｒ０８）８、抵抗器（Ｒ０９）９が直列接続されて設けられている。さらに、抵抗器（Ｒ０９）９には、コンデンサ（Ｃ０４）４４が並列接続されている。